(57)【要約】【課題】ユーザーである患者の立場になった使い勝手の良い病院検索システムを提供することである。【解決手段】ユーザーの端末機とサーバがネットワークを介して接続されているネットワークサーバシステムにおける病院検索方法であって、検索時に検索条件としたい検索項目及び検索時における検索項目の検索優先順位がネットワークを介してサーバに入力されるステップと、サーバが、検索項目及び検索優先順位に基づいて、検索条件の組合せを作成するステップと、サーバが、サーバの記憶装置に格納されている病院情報データから、組合せに合致するデータを抽出して表示するステップとを含むことを特徴とする。【選択図】  図１
2004164398.tif 000002
【特許請求の範囲】
【請求項１】
ユーザーの端末機とサーバがネットワークを介して接続されているネットワークサーバシステムにおける病院検索方法であって、
検索時に検索条件としたい検索項目及び検索時における前記検索項目の検索優先順位がネットワークを介してサーバに入力されるステップと、
サーバが、前記検索項目及び前記検索優先順位に基づいて、検索条件の組合せを作成するステップと、
サーバが、サーバの記憶装置に格納されている病院情報データから、前記組合せに合致するデータを抽出して表示するステップと、
を含むことを特徴とする病院検索方法。
【請求項２】
前記検索項目が、複数次の項目に分類されており、前記検索項目のうち、検索時に絞り込み検索条件としたい絞り込み検索項目がネットワークを介してサーバに入力されるステップと、
サーバが、前記抽出されたデータから、前記絞り込み検索条件に合致するデータを抽出して表示するステップと、
を含むことを特徴とする請求項１に記載の病院検索方法。
【請求項３】
ユーザーの端末機とサーバがネットワークを介して接続されている病院検索用ネットワークサーバシステムであって、
端末機からネットワークを介してサーバに入力される、検索時に検索条件としたい検索項目を有する検索条件選択ファイル、及び、検索時における前記検索項目の検索優先順位を指定する優先順位選択ファイルを作成する選択ファイル作成手段と、
サーバにおいて、前記検索項目及び前記検索優先順位に基づいた検索組合せとなる検索条件組合せファイルを作成する検索条件組合せファイル作成手段と、
サーバにおいて、サーバの記憶装置に格納されている病院情報データから、前記組合せに合致するデータを抽出して得られる該当データ抽出ファイルを作成する該当データ抽出ファイル作成手段と、
を含むことを特徴とする病院検索用ネットワークサーバシステム。
【請求項４】
前記検索項目が、複数次の項目に分類されており、端末機からネットワークを介してサーバに入力される、前記検索項目のうち、検索時に絞り込み検索条件としたい絞り込み検索項目を作成する絞り込みデータファイル形成手段と、
サーバにおいて、前記抽出されたデータから、前記絞り込み検索項目に合致するデータを抽出する絞り込みデータ抽出手段と、
を含むことを特徴とする請求項３に記載の病院検索用ネットワークサーバシステム。
【請求項５】
ユーザーの端末機とサーバがネットワークを介して接続されているネットワークサーバシステムによって病院の検索を行うためのプログラムであって、
検索時に検索条件としたい検索項目及び検索時における前記検索項目の検索優先順位がネットワークを介してサーバに入力されるステップと、
サーバが、前記検索項目及び前記検索優先順位に基づいて、検索条件の組合せを作成するステップと、
サーバが、サーバの記憶装置に格納されている病院情報データから、前記組合せに合致するデータを抽出して表示するステップと、
をネットワークサーバシステムに実行させるためのプログラム。
【請求項６】
前記検索項目が、複数次の項目に分類されており、前記検索項目のうち、検索時に絞り込み検索条件としたい絞り込み検索項目がネットワークを介してサーバに入力されるステップと、
サーバが、前記抽出されたデータから、前記絞り込み検索条件に合致するデータを抽出して表示するステップと、
をネットワークサーバシステムに実行させるための請求項５に記載のプログラム。
【発明の詳細な説明】
【０００１】
【発明の属する技術分野】
本発明は一般に、病院検索システムに関する。より詳細には、本発明は、ユーザーである患者の立場になった使い勝手の良い病院検索システムに関する。
【０００２】
【従来の技術】
体調不良で受診しようとする場合において掛かりつけの病院がないときには、家族や知人等から病院の紹介を受けたり電話帳等で病院を調べたりするのが通常である。また、近年のインターネットの普及により、インターネットの検索エンジンで病院を調べることが可能になっており、病院に関する情報を提供する病院検索システムも提案されている（例えば、特許文献１参照）。
【０００３】
【特許文献１】
特開２００２−２３６７６０号公報
【０００４】
【発明が解決しようとする課題】
しかしながら、家族等からの紹介や電話帳等での調査では、病院を選択するための正確かつ十分な情報を入手できない場合が多い。また、検索エンジンによる調査では、各病院が個別に作成したサイトへの直接リンクが圧倒的に多いので、実際にサイトを開いてみないと病院に関する具体的な情報が得られず、また、検索手法が単調なＡＮＤ条件による絞り込みであるので、ヒット件数が極端に多いか或いは極端に少なくなってしまい、使い勝手が悪いという弊害がある。さらに、既存の検索システムを見渡しても、システムのユーザーである患者の立場になった使い勝手の良い検索手法が提案されているとは言い難いのが現状である。
【０００５】
したがって、本発明は、ユーザーである患者の立場になった使い勝手の良い病院検索システムを提供することを目的としている。
【０００６】
【課題を解決するための手段】
本発明者は、通常の病院の検索では必須の検索項目（例えば、地域、診療科等。以下「必須検索項目」という）と可能であれば検索条件としたい項目（例えば、駐車場の有無、診療時間等。以下「選択検索項目」という）とに分かれていることに着目し、必須の検索項目を中心としてグループ化した検索項目の組合せを自動的に作成し、検索しようとする者が一度の検索条件の指定で目的とする病院を抽出することができることを可能にした。また、検索項目を階層化し、その階層化された２次階層を抽出後指定することによって、目標とする病院の絞り込みを自動的に実施することができるようにした。
【０００７】
本願請求項１に記載の、ユーザーの端末機とサーバがネットワークを介して接続されているネットワークサーバシステムにおける病院検索方法は、検索時に検索条件としたい検索項目及び検索時における前記検索項目の検索優先順位がネットワークを介してサーバに入力されるステップと、サーバが、前記検索項目及び前記検索優先順位に基づいて、検索条件の組合せを作成するステップと、サーバが、サーバの記憶装置に格納されている病院情報データから、前記組合せに合致するデータを抽出して表示するステップとを含むことを特徴とするものである。
【０００８】
本願請求項２に記載の、ユーザーの端末機とサーバがネットワークを介して接続されているネットワークサーバシステムにおける病院検索方法は、前記請求項１の病院検索方法において、前記検索項目が複数次の項目に分類されており、前記検索項目のうち、検索時に絞り込み検索条件としたい絞り込み検索項目がネットワークを介してサーバに入力されるステップと、サーバが、前記抽出されたデータから、前記絞り込み検索条件に合致するデータを抽出して表示するステップとを含むことを特徴とするものである。
【０００９】
本願請求項３に記載の、ユーザーの端末機とサーバがネットワークを介して接続されている病院検索用ネットワークサーバシステムは、端末機からネットワークを介してサーバに入力される、検索時に検索条件としたい検索項目を有する検索条件選択ファイル、及び、検索時における前記検索項目の検索優先順位を指定する優先順位選択ファイルを作成する選択ファイル作成手段と、サーバにおいて、前記検索項目及び前記検索優先順位に基づいた検索組合せとなる検索条件組合せファイルを作成する検索条件組合せファイル作成手段と、サーバにおいて、サーバの記憶装置に格納されている病院情報データから、前記組合せに合致するデータを抽出して得られる該当データ抽出ファイルを作成する該当データ抽出ファイル作成手段とを含むことを特徴とするものである。
【００１０】
本願請求項４に記載の、ユーザーの端末機とサーバがネットワークを介して接続されている病院検索用ネットワークサーバシステムは、前記請求項３のシステムにおいて、前記検索項目が複数次の項目に分類されており、端末機からネットワークを介してサーバに入力される、前記検索項目のうち、検索時に絞り込み検索条件としたい絞り込み検索項目を作成する絞り込みデータファイル形成手段と、サーバにおいて、前記抽出されたデータから、前記絞り込み検索項目に合致するデータを抽出する絞り込みデータ抽出手段とを含むことを特徴とするものである。
【００１１】
本願請求項５に記載の、ユーザーの端末機とサーバがネットワークを介して接続されているネットワークサーバシステムによって病院の検索を行うためのプログラムは、検索時に検索条件としたい検索項目及び検索時における前記検索項目の検索優先順位がネットワークを介してサーバに入力されるステップと、サーバが、前記検索項目及び前記検索優先順位に基づいて、検索条件の組合せを作成するステップと、サーバが、サーバの記憶装置に格納されている病院情報データから、前記組合せに合致するデータを抽出して表示するステップとをネットワークサーバシステムに実行させるためのものである。
【００１２】
本願請求項６に記載の、ユーザーの端末機とサーバがネットワークを介して接続されているネットワークサーバシステムによって病院の検索を行うためのプログラムは、前記請求項５のプログラムにおいて、前記検索項目が複数次の項目に分類されており、前記検索項目のうち、検索時に絞り込み検索条件としたい絞り込み検索項目がネットワークを介してサーバに入力されるステップと、サーバが、前記抽出されたデータから、前記絞り込み検索条件に合致するデータを抽出して表示するステップとをネットワークサーバシステムに実行させるためのものである。
【００１３】
【発明の実施の形態】
次に図面を参照して、本発明の好ましい実施の形態に係る病院検索システムについて詳細に説明する。図１には、本発明の好ましい実施の形態に係る病院検索システムの全体構成の一例を示したブロック図が示されている。インターネット等の通信網であるネットワークには、パーソナルコンピュータ（以下「パソコン」という）Ａ、Ｂ、Ｃ、Ｄ、及び病院検索システムの管理ステーションとして機能するサーバが接続されている。
【００１４】
パソコンＡ、Ｂ、Ｃ、Ｄは、一般的な型式のものでよい。すなわち、パソコンＡは、バス１０によって相互に接続されたＣＰＵ（中央処理装置）１１、メモリ１２、ハードディスク等の記憶装置１３、キーボード等の入力装置１４、及び表示装置であるディスプレイ１５を有しており、バス１０上のネットワークインタフェース１６を介してネットワークに接続されている。パソコンＢ、Ｃ、Ｄは、パソコンＡと構成が実質的に同一であるので、それらの詳細な図示及び説明を省略する。なお、パソコンＡ、Ｂ、Ｃ、Ｄの上述の構成は単なる例示にすぎず、他の構成を有するパソコンを用いてもよい。
【００１５】
一方、病院検索システムの管理ステーションとなるサーバは、バス２０によって相互に接続されたＣＰＵ２１、メモリ２２、ハードディスク等の記憶装置２３を少なくとも有しており、バス２０上のネットワークインタフェース２４を介してネットワークに接続されている。
【００１６】
サーバの記憶装置２３には、予め、病院情報データファイル、及び検索条件マスタファイルがそれぞれ格納されている。
【００１７】
病院情報データファイルには、病院に関する情報（例えば、病院名、診療科、住所（地域）、診療時間、駐車場の有無、勤務医師の専門や実績に関するデータ等）が格納されている。
【００１８】
検索条件マスタファイルには、検索項目、即ち、本システムのユーザーが検索条件としたい項目（例えば、診療科、地域、診療時間（休日・深夜の診療の可否）、駐車場の有無）が格納されている。そして、ユーザーが、各検索項目について、検索条件（例えば、診療科は内科、地域は北区等）と優先順位（必須検索項目又は選択検索項目のいずれか）を選択し指定することによって、検索条件選択ファイルと優先順位選択ファイルがそれぞれ形成され、サーバ２０のメモリ２２又は記憶装置２３に格納される。
【００１９】
上述のようにユーザーの指定によって形成された検索条件選択ファイル及び優先順位選択ファイルに従って、検索条件組合せファイルが形成され、サーバ２０のメモリ２２又は記憶装置２３に格納される。例えば、検索条件選択ファイルにおいて診療科が内科、地域が北区、休日・深夜診療が有り、駐車場が有りであり、優先順位選択ファイルにおいて診療科が必須項目、地域が必須項目、休日・深夜診療が選択項目、駐車場が選択項目である場合には、これらの組合せから、（組合せパターン１）内科、北区、休日・深夜診療有り、駐車場有り、（組合せパターン２）内科、北区、休日・深夜診療有り、駐車場無し、（組合せパターン３）内科、北区、休日・深夜診療無し、駐車場有り、（組合せパターン４）内科、北区、北区、休日・深夜診療無し、駐車場無し、の４つのパターンからなる検索条件組合せファイルが形成される。
【００２０】
上述のように形成された検索条件組合せファイルに従って、サーバ２０のＣＰＵ２１は、病院情報データファイルを検索し、各組合せパターンに該当する病院情報データを抽出して、該当データ抽出ファイルを形成し、サーバ２０のメモリ２２又は記憶装置２３に格納する。
【００２１】
特定の検索条件について、更に詳細な条件を指定することによって、絞り込みデータファイルを形成して、サーバ２０のメモリ２２又は記憶装置２３に格納されるように構成してもよい。より詳細に説明すると、この場合には、検索項目が複数次の項目（例えば、項目「地域」について見ると、１次項目に中央区、北区などの区名、２次項目にそれぞれの区を細分した町名）に分類されており、上述の組合せパターン１に関連する該当データ抽出ファイルのデータについて、地域を更に絞り込もうとする場合には（例えば、地域を北区のうち新琴似（札幌市内の町名）に絞り込もうとする場合には）、組合せパターン１に関連するデータのうち新琴似に位置するデータが抽出され、絞り込みデータファイルが形成される。
【００２２】
次に、上述の病院検索システムにおいて、ユーザーが所望の病院を捜そうとする場合の手順を、図２〜図７を参照して説明する。ユーザーは、パソコンＡから、インターネットを介してサーバのウェブ・サイトにアクセスする。そして、検索条件の選択画面（図３参照）を表示し（ステップＳ１００）、所望の検索条件を選択する（ステップＳ１０２）。図３に示される検索画面では、検索項目として、診療科、地域、診療時間（休日・深夜）、駐車場の有無が示されており、これらの検索項目に対応して、検索条件と優先順位がそれぞれプルダウンメニューで選択できるようになっている。図３では、診療科として「内科」、地域として「北区」、診療時間（休日・深夜）として「あり」、駐車場として「あり」がそれぞれ選択されており、かつ、診療科と地域が必須検索項目、診療時間（休日・深夜）と駐車場が選択検索項目として選択されている。
【００２３】
ユーザーは、選択した検索条件と優先順位を確認した後、「検索実行」ボタンをクリックする。すると、検索条件組合せファイルが作成され（ステップＳ１０４）、表示装置の画面左側に、検索条件組合せパターンとして表示される（画面において、各組合せパターンの末尾に示されている括弧付き数字は、各組合せパターンの該当件数である）。また、検索条件組合せファイルに従って、各組合せパターンに該当する病院データを抽出して、該当データ抽出ファイルが作成される（ステップＳ１０６）。表示装置の画面右側には、検索条件組合せパターンのうち組合せパターン１の内容が表示される（図４参照）。なお、他の組合せパターンを表示させようとする場合には、画面左側の該当個所をクリックすればよい。
【００２４】
次いで、ユーザーが地域を更に絞り込もうとする（北区のうち新琴似を選択しようとする）場合を想定する。まず、画面右側の「北区」をクリックした後、「絞り込み」ボタンをクリックする。すると、図５に示されるように、画面右側に「絞り込みウィンドウ」が表示される（ステップＳ１０８）ので、プルダウンメニューで「新琴似」を選択し、「ＧＯ」ボタンをクリックする（ステップＳ１１０）。
【００２５】
すると、組合せパターン１のデータのうち地域が新琴似であるデータのみが抽出され、図６に示されるように、画面に表示される（ステップＳ１１２）。なお、画面に表示される例では、新琴似にある病院は、新琴似病院のみであった。新琴似病院の詳細な情報を知りたい場合には、「ＧＯ」ボタンをクリックする。すると、画面右側に、新琴似病院の詳細な情報が表示される（図７参照）。
【００２６】
画面に表示したデータ（新琴似病院のデータ）に不満足である場合には、「絞り込みに戻る」ボタンをクリックする。すると、図５に示される画面に戻るので、異なる絞り込み条件で再び検索を実施する。
【００２７】
本発明は、以上の発明の実施の形態に限定されることなく、特許請求の範囲に記載された発明の範囲内で、種々の変更が可能であり、それらも本発明の範囲内に包含されるものであることはいうまでもない。
【００２８】
例えば、前記実施の形態では、優先順位は必須又は選択のいずれか一方しか選択することができないが、選択検索項目自体に例えば選択１、選択２のように優先順位をつけることができるようにしてもよい。この場合、例えば上述の例において駐車場を「選択１」、休日・深夜診療の有無を「選択２」とすると、組合せパターンの総数は、選択検索項目自体に優先順位をつけない場合と同様に４つであるが、組合せパターンの表示順序は、優先順位に従って、（組合せパターン１）内科、北区、駐車場有り、休日・深夜診療有り、（組合せパターン２）内科、北区、駐車場有り、休日・深夜診療無し、（組合せパターン３）内科、北区、駐車場無し、休日・深夜診療有り、（組合せパターン４）内科、北区、駐車場無し、休日・深夜診療無し、となる。
【００２９】
また、前記実施の形態では、絞り込み検索ができるように構成されているが、絞り込み検索機能を省略してもよい。
【００３０】
さらに、前記実施の形態では、ユーザーがパソコンを用いてサーバにアクセスしているが、パソコン以外のネットワーク通信の可能な端末機（例えば、携帯電話機）を用いてサーバにアクセスしてもよい。
【００３１】
【発明の効果】
本発明によれば、検索条件に優先順位が付けられているので、一度の検索条件の指定で目標とする病院を抽出することができ、効率的な検索を行うことができる。また、検索項目を階層化した場合には、目標とする病院の抽出を一層効率的に行うことができる。
【図面の簡単な説明】
【図１】本発明の好ましい実施の形態に係る病院検索システムの全体構成の一例を示したブロック図である。
【図２】本発明の好ましい実施の形態に係る病院検索システムの処理のフロー図である。
【図３】本発明の好ましい実施の形態に係る病院検索システムの処理における一連の画面表示を示した図である。
【図４】本発明の好ましい実施の形態に係る病院検索システムの処理における一連の画面表示を示した図である。
【図５】本発明の好ましい実施の形態に係る病院検索システムの処理における一連の画面表示を示した図である。
【図６】本発明の好ましい実施の形態に係る病院検索システムの処理における一連の画面表示を示した図である。
【図７】本発明の好ましい実施の形態に係る病院検索システムの処理における一連の画面表示を示した図である。
【図１】
2004164398.tif 000003
【図２】
2004164398.tif 000004
【図３】
2004164398.tif 000005
【図４】
2004164398.tif 000006
【図５】
2004164398.tif 000007
【図６】
2004164398.tif 000008
【図７】
2004164398.tif 000009